(57)【要約】【課題】  変化に富んだ開放態様を有することで遊技者に対し新たな興趣、インパクトを与えるとともに、入賞に基づいて遊技者に付与する遊技価値を開放態様により異ならせて遊技の幅を広げることができるパチンコ遊技機用入賞装置とその入賞装置を用いたパチンコ遊技機を提供する。【解決手段】  上側開放ソレノイド１３１が励磁され、後方アーム１１３が下側軸部１１１，１１１を中心に上方回動すると、開閉扉１１０は上部が遊技者側に近づくように回動する。下側開放ソレノイド１３２が励磁され、後方アーム１１３及び開閉扉１１０が上側軸部１１２，１１２を中心に上方回動すると、開閉扉１１０は下部が遊技者側から遠ざかるように回動する。大入賞口１０３は、上側又は下側が開いて左右方向のどの部分からでも玉が通過して入賞できるように開放される。上側開放状態での入賞に対する賞球数を１５個、下側開放状態での入賞に対する賞球数を１３個に設定する。【選択図】図６
2007007196.tif 000002
【特許請求の範囲】
【請求項１】
遊技盤の盤面に開口して玉が入賞可能な入賞口と、
その入賞口を閉鎖して玉の入賞を阻止する閉鎖状態から、第１の軸線の周りに回動して前記入賞口を開放するとともに入賞した玉を第１の玉通路へ案内する第１の開放状態と、前記第１の軸線とは異なる第２の軸線の周りに回動して前記入賞口を開放するとともに入賞した玉を前記第１の玉通路とは異なる第２の玉通路へ案内する第２の開放状態とに選択的に切り換えられる単一の開閉部材と、
前記第１の玉通路を通過する玉を検知する第１の入賞検知手段と、
前記第２の玉通路を通過する玉を検知する第２の入賞検知手段とを備えることを特徴とするパチンコ遊技機用入賞装置。
【請求項２】
遊技盤の盤面において左右方向に所定の開口幅を有する形態で開口して玉が入賞可能な入賞口と、
その入賞口を閉鎖して玉の入賞を阻止する閉鎖状態から、下部において左右方向に配置された第１の軸線の周りに上部が遊技者側に接近するように回動して前記入賞口を開放しその入賞口に向けて玉を誘導するとともに、入賞した玉を第１の玉通路へ案内する第１の開放状態と、前記第１の軸線よりも上方において左右方向に配置された第２の軸線の周りに下部が遊技者側から遠ざかるように回動して前記入賞口を開放するとともに、入賞した玉を前記第１の玉通路とは異なる第２の玉通路へ案内する第２の開放状態とに選択的に切り換えられる開閉部材と、
前記開閉部材が前記閉鎖状態のときにその開閉部材から遊技者側に玉が通過できる間隔をあけて対向配置される第１の配置状態と、前記開閉部材が前記第２の開放状態のときに前記第１の軸線よりも上方において左右方向に配置された第３の軸線の周りに下部が遊技者側から離間するように回動して、その入賞口に向けて玉を誘導する第２の配置状態とに遷移する誘導部材と、
前記第１の玉通路を通過する玉を検知する第１の入賞検知手段と、
前記第２の玉通路を通過する玉を検知する第２の入賞検知手段とを備えることを特徴とするパチンコ遊技機用入賞装置。
【請求項３】
前記開閉部材が前記第１の開放状態のときに前記入賞口から入賞した玉を前記第１の玉通路に案内する第１の案内状態と、前記開閉部材が前記第２の開放状態のときに前記入賞口から入賞した玉を前記第２の玉通路に案内する第２の案内状態とに遷移する案内部材を備える請求項１又は２に記載のパチンコ遊技機用入賞装置。
【請求項４】
前記開閉部材が前記閉鎖状態から前記第２の開放状態へ遷移するとき、これに連動して前記誘導部材が前記第１の配置状態から前記第２の配置状態へ遷移するように、前記開閉部材と前記誘導部材とを連結する連結部材を備えている請求項２に記載のパチンコ遊技機用入賞装置。
【請求項５】
前記開閉部材が前記閉鎖状態から前記第２の開放状態へ遷移するとき、これに連動して前記案内部材が前記第１の案内状態から前記第２の案内状態へ遷移するように、前記開閉部材と前記案内部材とが直接又は他部材を介して間接的に連結されている請求項３に記載のパチンコ遊技機用入賞装置。
【請求項６】
前記開閉部材を前記閉鎖状態から前記第１の開放状態に遷移させる第１の駆動手段と、
前記開閉部材を前記閉鎖状態から前記第２の開放状態に遷移させる第２の駆動手段とを備える請求項１ないし５のいずれか１項に記載のパチンコ遊技機用入賞装置。
【請求項７】
請求項１ないし６のいずれか１項に記載のパチンコ遊技機用入賞装置を前記遊技盤に備え、
前記第１の開放状態での入賞に基づいて遊技者に有利な遊技価値を付与するとともに、前記第２の開放状態での入賞に基づいて遊技者に前記第１の開放状態とは異なる有利な遊技価値を付与することを特徴とするパチンコ遊技機。
【発明の詳細な説明】
【技術分野】
【０００１】
本発明は、パチンコ遊技機用入賞装置とその入賞装置を備えたパチンコ遊技機に関する。
【背景技術】
【０００２】
パチンコ遊技機用入賞装置の一例として、１つの入賞口と一対の可動翼片（開閉部材）とを有するいわゆるチューリップ型入賞装置において、その一対の可動翼片の開口角度を２段階以上に制御して、入賞口の開口状態を半開きと完全開放の２段階に開口させる技術が提案されている（特許文献１参照）。そして、このような入賞装置によれば、入賞装置（可動翼片）自体の動作に変化を持たせるとともに、開口状態（開口角度）に応じて入賞率（入賞数）に格差を設けることによって、ゲーム性（興趣性）が高められることとなる。
【０００３】
【特許文献１】登録実用新案第３０１５８５０号公報
【０００４】
ところが、特許文献１に記載された入賞装置では、可動翼片は半開きと完全開放とで同じ方向に作動する。そのため、その変化は遊技者に十分な興趣を与えるほどのインパクトを有するとは言い難い。
【０００５】
また、特に、大当たりでの開放中に複数の入賞が可能で遊技者が多数の賞球を短時間で獲得できるような可変入賞装置（大入賞口）の場合、開口状態に応じて入賞率（入賞数）に格差が設けられていると、大当たりであっても賞球払出個数が大きく変動する。その上、通常の可変入賞装置（大入賞口）では、矩形状の開閉扉（開閉部材）が、その下辺に沿って配置される軸線の周りに上部を遊技者側（ガラス扉側）に接近させて回動・開放するので、半開き開口状態を設けると、大入賞口と開閉扉との間、又はガラス扉と開閉扉との間に玉が詰まる可能性が高まり、これによっても大当たり時の賞球払出個数が大きく変動する。このように、賞球払出個数の変動が大きくなると、遊技者にとっては大当たりにより獲得できる利益が大幅に減少し、かえって興趣が失われるおそれがある。一方、遊技店にとっては、興趣が失われないようにするため開口状態による入賞率の格差を解消しなければならなくなり、釘調整の熟練作業や大入賞口・ガラス扉間の間隔の設計変更等が必要となる。
【０００６】
さらに、特許文献１に記載された入賞装置では、２種類の開口状態（半開きと完全開放）が設定されていても、入賞に基づいて遊技者に付与される遊技価値（例えば賞球数）を開口状態（開口角度）に応じて異ならせることができない。
【０００７】
これは、現行の遊技規則（遊技機の認定及び型式の検定などに関する規則）において、「一の入賞口への入賞により獲得される遊技玉の数が予め定められた一の値でない場合には、…［中略］…（本規則に）抵触する。」との解釈基準が示されていることに起因している。この解釈基準によれば、開口状態を変えることができる入賞口であっても、内部的に１つの入賞口であれば、開口状態に応じて入賞１個当たりの賞球数を変化させることはできないことになる。
【０００８】
したがって、特許文献１の入賞装置には、開口状態を変えることで入賞率（入賞数）を変化させることは記載されているが、遊技者の利益に直結する入賞１個当たりの賞球数を開口状態ごとに変化させることは想定されていない。このように、１つの入賞装置では入賞１個に対して単一の遊技価値（特定の賞球数）しか付与されない、言い換えれば、１つの入賞装置は１つの（単一の）入賞口としてしか機能しないため、遊技の幅を広げ多様性を付加することは困難とされてきた。
【発明の開示】
【発明が解決しようとする課題】
【０００９】
本発明の課題は、変化に富んだ開放態様を有することで遊技者に対し新たな興趣、インパクトを与えるとともに、入賞に基づいて遊技者に付与する遊技価値を開放態様により異ならせて遊技の幅を広げることができるパチンコ遊技機用入賞装置とその入賞装置を用いたパチンコ遊技機を提供することにある。
【課題を解決するための手段及び発明の効果】
【００１０】
上記課題を解決するために、本発明のパチンコ遊技機用入賞装置は、
遊技盤の盤面に開口して玉が入賞可能な入賞口と、
その入賞口を閉鎖して玉の入賞を阻止する閉鎖状態から、第１の軸線の周りに回動して前記入賞口を開放するとともに入賞した玉を第１の玉通路へ案内する第１の開放状態と、前記第１の軸線とは異なる第２の軸線の周りに回動して前記入賞口を開放するとともに入賞した玉を前記第１の玉通路とは異なる第２の玉通路へ案内する第２の開放状態とに選択的に切り換えられる単一の開閉部材と、
前記第１の玉通路を通過する玉を検知する第１の入賞検知手段と、
前記第２の玉通路を通過する玉を検知する第２の入賞検知手段とを備えることを特徴とする。
【００１１】
このような入賞装置の開閉部材は、２つの軸線の周りに互いに異なる方向に回動することによって、異なる態様の２つの開放状態に選択的に切り換えられるので、従来よりも一層変化に富んだ開放態様を呈する。これにより、遊技者に対して新たなインパクトと十分な興趣を与えることができる。
【００１２】
しかも、異なる態様の２つの開放状態に応じて玉通路を切り換え、かつ入賞検知手段によって玉通路ごとに玉を検知することができるので、１つの入賞装置に２つの入賞口としての機能をもたせることが可能となる。
【００１３】
そして、これらの入賞装置では、単一の入賞口を２種類の開放状態で開放し、入賞に基づいて遊技者に付与することが予定された遊技価値を開放状態により異ならせることも可能である。これにより、１つの入賞装置に２つの入賞口としての機能をもたせて、遊技の幅を広げ多様性を付加することが容易に行なえる。「入賞に基づいて予定される遊技価値の付与」として、賞球の払い出し、当否抽選（内部抽選）による大当たりの発生、確変（確率変動）・時短（時間短縮）による大当たり発生率の上昇等を考慮することができる。
【００１４】
なお、それら２つの開放状態ではいずれの状態でも、（例えば単一の）入賞口は、玉をその入賞口に誘導できる領域が所定範囲内に（例えばほぼ等しく）維持されるように開放されれば、異なる開放態様ではあっても入賞率に格差を生じにくくすることができる。可変入賞装置（大入賞口）の場合、大当たりの際の入賞率が入賞口の開放態様によって大きく左右される事態は発生しなくなる。このことは、遊技者にとっては、大当たりにより入賞率が大幅に変化することはないので、換言すれば常に安定した高入賞率状態で遊技できるので、興趣を失わずにすむ。一方、遊技店にとっては、開放態様による入賞率の格差を是正するための釘調整等の熟練作業が不要となる。
【００１５】
また、上記課題を解決するために、本発明のパチンコ遊技機用入賞装置は、
遊技盤の盤面において左右方向に所定の開口幅を有する形態で開口して玉が入賞可能な入賞口と、
その入賞口を閉鎖して玉の入賞を阻止する閉鎖状態から、下部において左右方向に配置された第１の軸線の周りに上部が遊技者側に接近するように回動して前記入賞口を開放しその入賞口に向けて玉を誘導するとともに、入賞した玉を第１の玉通路へ案内する第１の開放状態と、前記第１の軸線よりも上方において左右方向に配置された第２の軸線の周りに下部が遊技者側から遠ざかるように回動して前記入賞口を開放するとともに、入賞した玉を前記第１の玉通路とは異なる第２の玉通路へ案内する第２の開放状態とに選択的に切り換えられる開閉部材と、
前記開閉部材が前記閉鎖状態のときにその開閉部材から遊技者側に玉が通過できる間隔をあけて対向配置される第１の配置状態と、前記開閉部材が前記第２の開放状態のときに前記第１の軸線よりも上方において左右方向に配置された第３の軸線の周りに下部が遊技者側から離間するように回動して、その入賞口に向けて玉を誘導する第２の配置状態とに遷移する誘導部材と、
前記第１の玉通路を通過する玉を検知する第１の入賞検知手段と、
前記第２の玉通路を通過する玉を検知する第２の入賞検知手段とを備えることを特徴とする。
【００１６】
この入賞装置には、２つの開放状態に選択的に切り換えられる（例えば単一の）開閉部材とともに、その開放状態の切り換えに対応して配置状態が変化する誘導部材が備えられている。すなわち、開閉部材が２つの開放状態のいずれに位置していても、入賞装置（入賞口）の前方（遊技者側；ガラス扉側）を落下する玉は、開閉部材と誘導部材とによって入賞口に誘導案内される。したがって、可変入賞装置（大入賞口）の場合に、入賞口と開閉部材との間、又はガラス扉と開閉部材との間に玉が詰まる可能性が低くなるので、大当たり時の入賞率に与える影響を小さくできる。このとき、開閉部材が２つの開放状態のいずれに位置していても、（例えば単一の）入賞口へ誘導できる領域が所定範囲内に（例えばほぼ等しく）維持されていれば、それらの間に玉が詰まる可能性はさらに低くなり、大当たり時の入賞率に与える影響はさらに小さくなる。
【００１７】
その際、開閉部材が第１の開放状態のときに入賞口から入賞した玉を第１の玉通路に案内する第１の案内状態と、開閉部材が第２の開放状態のときに入賞口から入賞した玉を第２の玉通路に案内する第２の案内状態とに遷移する案内部材を備えることができる。このように、開閉部材の開放状態が選択的に切り換えられるのに対応して（連動して）、案内部材の案内状態を遷移させるので、それぞれの開放状態において入賞した玉は案内部材によって別々の玉通路に切り換え案内される。したがって、案内部材の切り換えにより入賞装置内部での玉詰まりが防止できるとともに、入賞した玉の検知・カウントや排出・合流のために広いスペースを要さず、入賞装置の簡素化、小型化を図ることができる。
【００１８】
また、開閉部材が閉鎖状態から第２の開放状態へ遷移するとき、これに連動して誘導部材が第１の配置状態から第２の配置状態へ遷移するように、開閉部材と誘導部材とを連結する連結部材を備えることができる。このような連結部材を備えることによって、開閉部材の第２の開放状態への位置変動に追随させて誘導部材を第２の配置状態へ容易に変化させることができ、入賞装置の簡素化、小型化を図ることができる。
【００１９】
同様に、開閉部材が閉鎖状態から前記第２の開放状態へ遷移するとき、これに連動して案内部材が第１の案内状態から第２の案内状態へ遷移するように、開閉部材と案内部材とを直接又は他部材を介して間接的に連結することができる。これによって、開閉部材の第２の開放状態への位置変動に追随させて案内部材を第２の案内状態へ容易に変化させることができ、入賞装置の簡素化、小型化を図ることができる。
【００２０】
さらに、開閉部材を閉鎖状態から第１の開放状態に遷移させる第１の駆動手段と、開閉部材を閉鎖状態から第２の開放状態に遷移させる第２の駆動手段とを備えることができる。２つの駆動手段を備えることによって、複雑な中間機構（伝動機構）等を設けなくても、開閉部材を上記した２つの開放状態に容易に切り換えることができ、入賞装置の簡素化、小型化を図ることができる。
【００２１】
なお、案内部材を、それら第１及び第２の駆動手段のうちの少なくとも一方の駆動に基づいて第１及び第２の案内状態に姿勢変換することができる。このように、駆動手段の切り換え駆動に伴って案内部材の案内状態を姿勢変換すれば、入賞装置内部での玉詰まり防止及び入賞装置の一層の簡素化、小型化を図ることができる。
【００２２】
次に、上記課題を解決するために本発明のパチンコ遊技機は、以上で述べたようなパチンコ遊技機用入賞装置を遊技盤に備え、第１の開放状態での入賞に基づいて遊技者に有利な遊技価値を付与するとともに、第２の開放状態での入賞に基づいて遊技者に第１の開放状態とは異なる有利な遊技価値を付与することを特徴とする。
【００２３】
これによって、上記入賞装置を、例えば大当たり発生時に２つの開放状態により入賞に基づく賞球数を異ならせて遊技の幅を広げ多様性を付加できる可変入賞装置として、遊技盤の中央下部に搭載することが容易にできる。
【００２４】
すなわち、このようなパチンコ遊技機は、単一の入賞口を２種類の開放状態で開放させ、入賞に基づいて遊技者に付与する遊技価値を開放状態により異ならせる。これにより、１つの入賞装置に２つの入賞口としての機能をもたせて、パチンコ遊技機としての遊技の幅を広げ多様性を付加することができる。ここで、「入賞に基づく遊技価値の付与」には、賞球の払い出し、当否抽選（内部抽選）による大当たりの発生、確変（確率変動）・時短（時間短縮）による大当たり発生率の上昇等が含まれる。
【００２５】
具体的には、第１の開放状態での入賞に基づき払い出すべき賞球数と、第２の開放状態での入賞に基づき払い出すべき賞球数とに差を設けることにより、遊技者に付与する遊技価値を異ならせてあることが望ましい。
【００２６】
このように、入賞１個に対する賞球数を開放状態ごとに異ならせてあれば、１つの入賞装置であっても２つの入賞口としての機能を有することが遊技者に理解されやすい。すなわち、遊技者の得られる利益に直接的に関与する形で遊技の幅を広げ多様性を付加することができる。なお、開放状態ごとに賞球数を変化させるには、入賞した玉を開放状態に応じて別々に検知して賞球を払い出す以外に、開閉部材をいずれの開放状態に切り換えさせるかの制御信号を利用し、玉がいずれの開放状態で入賞したかを判別して賞球を払い出すことも可能であるが、現行の遊技規則では実施することができない。
【００２７】
ところで、以上のようなパチンコ遊技機用入賞装置は、
遊技盤の盤面に開口して玉が入賞可能な入賞口と、
その入賞口を閉鎖して玉の入賞を阻止する閉鎖状態から、前記入賞口を開放するとともに入賞に基づいて遊技者に有利な遊技価値を付与することが予定された第１の開放状態と、前記入賞口を前記第１の開放状態とは異なる態様で開放するとともに入賞に基づいて遊技者に前記第１の開放状態とは異なる有利な遊技価値を付与することが予定された第２の開放状態とを含む複数の開放状態に選択的に切り換えられる開閉部材とを備えることもできる。
【００２８】
その具体的態様として、上記パチンコ遊技機用入賞装置は、
遊技盤の盤面に所定の開口幅を有する形態で開口して玉が入賞可能な入賞口と、
その入賞口を閉鎖して玉の入賞を阻止する閉鎖状態から、前記入賞口の幅方向に沿って配置された第１の軸線の周りに回動してその入賞口を全幅にわたり玉が通過可能となるように開放するとともに入賞に基づいて遊技者に有利な遊技価値を付与することが予定された第１の開放状態と、前記第１の軸線と平行状に配置された第２の軸線の周りに回動して前記入賞口を全幅にわたり玉が通過可能となるように開放するとともに入賞に基づいて遊技者に前記第１の開放状態とは異なる有利な遊技価値を付与することが予定された第２の開放状態とに選択的に切り換えられる開閉部材とを備えることもできる。
【発明を実施するための最良の形態】
【００２９】
（実施例）
以下、本発明の実施の形態について、図面に示す実施例を参照して説明する。図１は本発明に係るパチンコ遊技機の一例を示す正面模式図である。図１に示すパチンコ遊技機１は、台枠に取り付けられた透明ガラス扉２と、台枠の内側に配置されてガラス扉２によって覆われる遊技盤３とを有する。遊技盤３にはほぼ円形状の遊技領域が形成され、遊技盤３の下方には玉供給皿４が設けられている。玉供給皿４に準備された玉は、ハンドル５を含んで構成される玉発射機構によって遊技盤３の遊技領域に向けて発射される。
【００３０】
なお、本実施例において上方側（又は上部側）とは鉛直方向上方側、下方側（又は下部側）とは鉛直方向下方側を意味する。また、後方側（又は後面側）とは遊技盤３の盤面と直交する方向（前後方向）におけるパチンコ遊技機１内部に向かう側（主制御基板等の種々の基板が設けられる内部機構側）、前方側（又は前面側）とはそれとは反対側の遊技者側（ガラス扉２側）を意味する。さらに、左右方向と言うとき、遊技盤３の盤面上で水平状の横方向以外に斜め状の横方向を含む。
【００３１】
遊技盤３の円形状遊技領域の略中央部には役物装置６が設けられ、その役物装置６内に遊技中に行われる当否抽選の結果等を演出表示及び確定表示するための液晶表示部７が設置されている。また、液晶表示部７（役物装置６）直下の遊技領域には、玉の入賞により賞球払出しが行われるとともに、当否抽選（特別図柄の内部抽選）を開始させる始動入賞口８（スタートチャッカ）が配置されている。さらに、始動入賞口８直下の遊技領域には、当否抽選結果が大当たりのときに所定時間（例えば２５秒間）又は所定入賞数（例えば１０個）を１ラウンドとして所定ラウンド（例えば８ラウンド）継続して開放されて玉を入賞しやすくする可変入賞装置１０（パチンコ遊技機用入賞装置）が配置されている。そして、液晶表示部７（役物装置６）左下方の遊技領域には、玉のゲート通過により予備抽選（普通図柄の内部抽選）を開始する通過ゲート９（スルーチャッカ）が配置されている。なお、可変入賞装置１０の両側には第１入賞口１１と第２入賞口１２とが左右に振り分けて配置されるとともに、可変入賞装置１０の下方にはアウト玉を回収するためのアウト口１３が設けられている。
【００３２】
液晶表示部７は、特別図柄表示部１４と普通図柄表示部１５と保留玉表示部１６とを有している。特別図柄表示部１４には、始動入賞口８への入賞に基づき、数字等で構成された複数桁（例えば３桁）の特別図柄が可変表示される。普通図柄表示部１５には、通過ゲート９の玉通過に基づき、同様に複数桁（例えば２桁）の普通図柄が表示される。保留玉表示部１６には、当否抽選結果を特別図柄表示部１４へ図柄変動表示中に始動入賞口８への入賞があった場合に、当否抽選結果を表示待機中の保留個数が所定数（例えば４個）まで点灯表示される。このことは、特別図柄表示部１４への図柄変動表示中に始動入賞口８への入賞があった場合に、４個を上限として当否抽選結果を記憶しておけることを表わしている。
【００３３】
図２は本発明に係るパチンコ遊技機用入賞装置の一例としての可変入賞装置において大入賞口が閉鎖状態にあるときの正面図、図３はそのＸ−Ｘ断面図、図４はそのＡ−Ａ断面図、図５はそのＢ−Ｂ断面図、図６は斜視説明図である。図２〜図４に示すように、可変入賞装置１０は、遊技盤３の盤面に開口して玉が入賞可能な大入賞口１０３（アタッカ；入賞口）を有し遊技盤３に嵌め込み固定された箱状の本体部１００と、大入賞口１０３とほぼ同じ形状と大きさを有し大入賞口１０３を開閉する開閉扉１１０（開閉部材）と、開閉扉１１０から遊技者側（ガラス扉２側）に玉Ｂが通過できる間隔をあけて対向配置される透明な誘導板１２０（誘導部材）と、大入賞口１０３から入賞した玉を後述する２つの玉通路１０６，１０８のいずれか一方に切り換え案内する案内板１４０（案内部材）とを備えている。大入賞口１０３は、遊技者側から見て左右方向に長く上下方向に短い開口幅で、本体部１００前面において矩形状に開口している。
【００３４】
図５及び図６に示すように、開閉扉１１０は、大入賞口１０３の下部に左右方向（幅方向）に沿って配置された下側軸線Ｏ１（第１の軸線）の周りに回動できる。具体的には、開閉扉１１０には、大入賞口１０３の下縁に沿って左右（幅方向両側）に下側軸部１１１，１１１（第１の軸部）がそれぞれ突出形成されている。大入賞口１０３の左右の下端には、後方側に開口したコの字状の下側軸受部１０１，１０１（第１の軸受部）がそれぞれ本体部１００に固定配置され、下側軸部１１１，１１１は下側軸受部１０１，１０１にそれぞれ回動可能に支承されている。開閉扉１１０の右側（幅方向片側）下端部には、開閉扉１１０から交差状に（例えば直交状に）後方に延出する後方アーム１１３が一体的に突出固定されている。上下方向に配置された上側開放ソレノイド１３１（第１の駆動手段）のプランジャヘッド１３１ａが後方アーム１１３の中間部に下側から接触（接当）している。
【００３５】
上側開放ソレノイド１３１の本体とプランジャヘッド１３１ａとの間のプランジャ１３１ｂには引張コイルばね１３１ｃが介装され、上側開放ソレノイド１３１の励磁により引張コイルばね１３１ｃの弾発力（引張力）に抗してプランジャヘッド１３１ａ（プランジャ１３１ｂ）が突出する。したがって、上側開放ソレノイド１３１のプランジャヘッド１３１ａの突出により、開閉扉１１０は下側軸部１１１，１１１（下側軸線Ｏ１）を中心として上部が遊技者側（ガラス扉２側）に近づく（接近する）ように回動できる。これによって、大入賞口１０３は、上側が開いて左右方向のどの部分からでも玉が通過して入賞できるように開放される（図９参照）。なお、上側開放ソレノイド１３１には、励磁により圧縮コイルばねの弾発力に抗してプランジャヘッド１３１ａ（プランジャ１３１ｂ）が退入するタイプのものを用いてもよい。
【００３６】
他方、開閉扉１１０は、大入賞口１０３の上部に左右方向（幅方向）に沿って配置され、下側軸線Ｏ１の上方で平行状に位置する上側軸線Ｏ２（第２の軸線）の周りにも回動できる。具体的には、開閉扉１１０には、大入賞口１０３の上縁に沿って左右（幅方向両側）に上側軸部１１２，１１２（第２の軸部）がそれぞれ突出形成されている。大入賞口１０３の左右の上端には、前方側に開口したＬ字状の上側軸受部１０２，１０２（第２の軸受部）がそれぞれ配置され、上側軸部１１２，１１２は上側軸受部１０２，１０２にそれぞれ回動可能に支承されている。
【００３７】
また、このとき、下側軸部１１１，１１１は下側軸受部１０１，１０１から外れて後方側へ移動可能である。前後方向に配置された下側開放ソレノイド１３２（第２の駆動手段）のプランジャヘッド１３２ａと上記後方アーム１１３の後端部とが接続リンク１３３で接続されている。詳しくは、後方アーム１１３の後端部から右側（幅方向片側）に一体的に突出する接続ピン１１３ａが接続リンク１３３の前端部に貫通形成される長孔状の挿通孔１３３ａに挿通され、接続リンク１３３の後端部はプランジャヘッド１３２ａに回動可能に接続されている。
【００３８】
下側開放ソレノイド１３２の本体とプランジャヘッド１３２ａとの間のプランジャ１３２ｂには引張コイルばね１３２ｃが介装され、下側開放ソレノイド１３２の励磁により引張コイルばね１３２ｃの弾発力（引張力）に抗してプランジャヘッド１３２ａ（プランジャ１３２ｂ）が突出する。したがって、開閉扉１１０は、下側開放ソレノイド１３２によって上側軸部１１２，１１２（上側軸線Ｏ２）を中心として下部が遊技者側（ガラス扉２側）から遠ざかる（離間する）ように回動できる。これによって、大入賞口１０３は、下側が開いて左右方向のどの部分からでも玉が通過して入賞できるように開放される（図１２参照）。なお、下側開放ソレノイド１３２には、励磁により圧縮コイルばねの弾発力に抗してプランジャヘッド１３２ａ（プランジャ１３２ｂ）が退入するタイプのものを用いてもよい。
【００３９】
図６において、本体部１００の上部前端部からさらに前方のガラス扉２近傍まで左右の固定リンク１０４，１０４がそれぞれ一体的に延設されている。この固定リンク１０４，１０４は、誘導板１２０の左右上端部を、下側軸線Ｏ１の上方かつ上側軸線Ｏ２の前方でこれらと平行状に位置する前方側軸線Ｏ３（第３の軸線）の周りに回動可能に支持している。具体的には、誘導板１２０には、上縁に沿って左右（幅方向両側）に前方側軸部１２３，１２３（第３の軸部）がそれぞれ突出形成され、固定リンク１０４，１０４に軸支されている。
【００４０】
また、誘導板１２０の左右下端部に突出形成された連結軸１２４，１２４が左右の移動リンク１２１，１２１（連結部材）の前端部と各々回動可能に連結されている。一方、開閉扉１１０の左右下端部（具体的には下側軸部１１１，１１１）と左右の移動リンク１２１，１２１の後端部とは、各々回動可能に連結されている。さらに、符号１０５は接続ピン１１３ａと本体部１００との間に掛け渡された引張コイルスプリング等からなる戻しばね（弾発部材）であり、接続ピン１１３ａ（すなわち後方アーム１１３及び接続リンク１３３）を下向き（すなわち開閉扉１１０が大入賞口１０３を閉鎖する方向）に付勢している。
【００４１】
誘導板１２０はガラス扉２（図４参照）に沿って垂下され、誘導板１２０には、大入賞口１０３（図２参照）の左右方向の開口幅とほぼ等しく、開閉扉１１０の後方側に形成された玉誘導面１１０ａ（図４参照）の左右方向の幅ともほぼ等しい幅を有する玉誘導面１２０ａが後方側（開閉扉１１０対向側）に形成されている。
【００４２】
図３及び図４に示すように、本体部１００の前後方向中間部には、大入賞口１０３から可変入賞装置１０内に入賞した玉Ｂ（図７及び図１０参照）を装置外へ排出する玉通路を前後に２分割して後方側玉通路１０６（第１の玉通路）と前方側玉通路１０８（第２の玉通路）とに区画形成するために、仕切壁１００ａが左右方向に沿って立設されている。そして、後方側玉通路１０６と前方側玉通路１０８とには、通路ごとに入賞の有無を検知し、入賞数をカウントするために、近接スイッチ等の非接触センサで構成される後方側大入賞検出器１０７（第１の入賞検知手段）と前方側大入賞検出器１０９（第２の入賞検知手段）とが配置されている。
【００４３】
図４に示すように、案内板１４０は大入賞口１０３の左右方向の開口幅とほぼ等しい幅を有し、その上端部が開閉扉１１０の下端部に回動可能に取り付けられている。具体的には、図１３に示すように、案内板１４０の上端部において左右方向に所定間隔で複数（例えば３ヶ所）形成された筒状の回転ジョイント部１４０ａが、開閉扉１１０の下端部において左右方向に延びる形態で形成された支軸１１０ｂに回転可能に保持（嵌合）されている。なお、回転ジョイント部１４０ａの回転軸線は下側軸部１１１の下側軸線Ｏ１と一致している（図６参照）。図４に戻り、案内板１４０の下端部は、自重により仕切壁１００ａの上面（上縁）に接する形で受け止められ、案内板１４０は前方側玉通路１０８を蓋状に覆っている。
【００４４】
図５に示すように、可変入賞装置１０の本体部１００には、下側軸受部１０１，１０１、上側軸受部１０２，１０２及び両ソレノイド１３１，１３２が固定されている。また、図５において、開閉扉１１０，誘導板１２０，移動リンク１２１及び固定リンク１０４の４部材は、固定リンク１０４を固定辺（静止節）とする平行クランク機構を構成している（図８，図１１参照）。
【００４５】
次に、可変入賞装置１０の作動（大入賞口１０３の開放態様）について、図７〜図１２を参照して説明する。
（１）上側開放状態（第１の開放状態；図７〜図９）
パチンコ遊技機１において、所定の開放条件（例えば、始動入賞口８への入賞に基づく当否抽選結果が第１大当たり）が成立したときに、開閉扉１１０が大入賞口１０３を上側開放状態で開放する。
【００４６】
上側開放ソレノイド１３１が励磁され、引張コイルばね１３１ｃ及び戻しばね１０５の弾発力（引張力）に抗してプランジャヘッド１３１ａが上向きに突出し、後方アーム１１３の中間部を下側から押し上げる。後方アーム１１３が下側軸受部１０１，１０１に支承された下側軸部１１１，１１１（下側軸線Ｏ１）を中心に上方回動（反時計回りに回動）すると、後方アーム１１３と一体的に固定された開閉扉１１０は、上部が遊技者側に近づくように回動する。その結果、大入賞口１０３は、上側が開いて左右方向のどの部分からでも玉Ｂが通過して入賞できるように開放され、玉Ｂは開閉扉１１０の後方側に形成された玉誘導面１１０ａで大入賞口１０３に誘導される。
【００４７】
図７に示すように、開閉扉１１０は下側軸部１１１，１１１（図８参照）を中心として上部が遊技者側に近づくように回動する。しかし、回転ジョイント部１４０ａと支軸１１０ｂとが自由回転できるため、案内板１４０の下端部は閉鎖状態（図４参照）と同様に自重により仕切壁１００ａの上面に接する形で受け止められ、案内板１４０は前方側玉通路１０８を蓋状に覆っている。したがって、開閉扉１１０の玉誘導面１１０ａによって大入賞口１０３に誘導された玉Ｂは、引き続き案内板１４０の上面でガイドされて後方側玉通路１０６へ案内される（第１の案内状態）。上側開放状態で可変入賞装置１０（大入賞口１０３）に入賞した玉Ｂは、後方側玉通路１０６の後方側大入賞検出器１０７で入賞検知され入賞数にカウントアップされた後、後方側玉通路１０６から装置外に排出される。
【００４８】
図８及び図９に示すように、下側軸部１１１，１１１と移動リンク１２１，１２１の後端部とは回動可能に連結されているので、後方アーム１１３及び開閉扉１１０が下側軸部１１１，１１１を中心に回動しても、移動リンク１２１，１２１は移動しない。したがって、誘導板１２０は、開閉扉１１０から遊技者側（ガラス扉２側）に玉が通過できる間隔をあけて対向配置されて垂下したまま変位しない（第１の配置状態）。ところで、玉Ｂを大入賞口１０３に導くように開閉扉１１０の上部が回動することによって、誘導板１２０と開閉扉１１０との間隔は上部において狭められ（詰められ）る。したがって、玉Ｂはガラス扉２と誘導板１２０との間、開閉扉１１０と誘導板１２０との間のいずれも通過できない（図７参照）。
【００４９】
なお、開閉扉１１０が下側軸部１１１，１１１を中心に回動するとき、上側軸部１１２，１１２は上側軸受部１０２，１０２から脱出する。また、後方アーム１１３が下側軸部１１１，１１１を中心に回動するとき、接続ピン１１３ａが挿通孔１３３ａ内を移動できる（つまり挿通孔１３３ａが逃がし機能を有する）。したがって、接続リンク１３３は下側開放ソレノイド１３２のプランジャヘッド１３２ａの周りを自由回動でき、プランジャヘッド１３２ａを突出させるような力を及ぼさない。
【００５０】
そして、上側開放ソレノイド１３１が消磁されると、引張コイルばね１３１ｃの弾発力によってプランジャヘッド１３１ａが下向きに退入し、戻しばね１０５の弾発力によって接続ピン１１３ａが下方へ移動する。これによって、後方アーム１１３と一体的に固定された開閉扉１１０は、上部が遊技者側から遠ざかるように回動する。その結果、開閉扉１１０は、大入賞口１０３を閉鎖して玉の入賞を阻止する閉鎖状態に戻る（図２〜図６参照）。
【００５１】
（２）下側開放状態（第２の開放状態；図１０〜図１２）
パチンコ遊技機１において、所定の開放条件（例えば、始動入賞口８への入賞に基づく当否抽選結果が第２大当たり）が成立したときに、開閉扉１１０が大入賞口１０３を下側開放状態で開放する。
【００５２】
下側開放ソレノイド１３２が励磁され、引張コイルばね１３２ｃ及び戻しばね１０５の弾発力（引張力）に抗してプランジャヘッド１３２ａが後方に突出し、接続リンク１３３及び接続ピン１１３ａを介して後方アーム１１３を後方側に移動させる。後方アーム１１３及びそれと一体的に固定された開閉扉１１０が、上側軸受部１０２，１０２に支承された上側軸部１１２，１１２（上側軸線Ｏ２）を中心に上方回動（反時計回りに回動）すると、開閉扉１１０は下部が遊技者側から遠ざかるように回動する。その結果、大入賞口１０３は、下側が開いて左右方向のどの部分からでも玉Ｂが通過して入賞できるように開放される。
【００５３】
図１１及び図１２に示すように、下側軸部１１１，１１１と移動リンク１２１，１２１の後端部とは回動可能に連結されているので、後方アーム１１３及び開閉扉１１０が上側軸部１１２，１１２を中心に上方回動すると、移動リンク１２１，１２１も後方側に移動する。したがって、誘導板１２０は、上端部の前方側軸部１２３，１２３前方側軸線Ｏ３を支持された固定リンク１０４，１０４に対して反時計回りに（すなわち下部が遊技者側から遠ざかるように）回動し、後方側に形成された玉誘導面１２０ａで大入賞口１０３に向けて玉Ｂを誘導する（第２の配置状態）。このとき、玉Ｂは誘導板１２０と開閉扉１１０との間のみ通過できる（図１０参照）。
【００５４】
図１０に示すように、開閉扉１１０は上側軸部１１２，１１２（図１１参照）を中心として下部が遊技者側から遠ざかるように回動する。このとき、回転ジョイント部１４０ａと支軸１１０ｂとは自由回転できるため、案内板１４０の下端部が仕切壁１００ａの上面を後方側へ滑るように移動するとともに、開閉扉１１０と案内板１４０とが一直線状に伸長して前方側玉通路１０８の上方を全体的に覆っている。したがって、誘導板１２０の玉誘導面１２０ａによって大入賞口１０３に誘導された玉Ｂは、そのまま前方側玉通路１０８へ案内される（第２の案内状態）。下側開放状態で可変入賞装置１０（大入賞口１０３）に入賞した玉Ｂは、前方側玉通路１０８の前方側大入賞検出器１０９で入賞検知され入賞数にカウントアップされた後、前方側玉通路１０８から装置外に排出される。
【００５５】
なお、再び図１１及び図１２において、後方アーム１１３及び開閉扉１１０が上側軸部１１２，１１２を中心に回動するとき、下側軸部１１１，１１１は下側軸受部１０１，１０１から脱出する。また、下側開放ソレノイド１３２のプランジャヘッド１３２ａが後方に突出し、同時に後方アーム１１３及び開閉扉１１０が上側軸部１１２，１１２を中心に回動するとき、移動リンク１２１，１２１はプランジャヘッド１３１ａの上方を離れて後方側に移動する。したがって、移動リンク１２１，１２１の移動はプランジャヘッド１３１ａに影響を及ぼさない。さらに、閉鎖状態から下側開放状態への移行時にも接続ピン１１３ａは挿通孔１３３ａ内を移動できる（つまり挿通孔１３３ａが逃がし機能を有する）ため、後方アーム１１３及び開閉扉１１０の後方回動につれて接続リンク１３３はプランジャヘッド１３２ａの周りを自由回動できる。
【００５６】
そして、下側開放ソレノイド１３２が消磁されると、引張コイルばね１３２ｃの弾発力によってプランジャヘッド１３２ａが前方に退入し、戻しばね１０５の弾発力によって接続ピン１１３ａが下方へ移動する。これによって、後方アーム１１３と一体的に固定された開閉扉１１０は、下部が遊技者側に近づくように回動する。その結果、開閉扉１１０は、大入賞口１０３を閉鎖して玉の入賞を阻止する閉鎖状態に戻る（図２〜図６参照）。
【００５７】
このように、可変入賞装置１０の開閉扉１１０は、上側開放状態では遊技者側に接近し、下側開放状態では遊技者側から離間して、変化に富んだ２つの開放態様を提供できるので、作動の違いが遊技者の目に留まりやすく（注目されやすく）なる。しかも、これら２つの開放状態ではいずれも、１つの大入賞口１０３を左右方向のどの部分からでも玉が通過して入賞できるように開放し、開閉扉１１０の玉誘導面１１０ａと誘導板１２０の玉誘導面１２０ａとは左右方向の幅（又は玉誘導面積）がほぼ等しい（あるいは差が例えば２０％以内に留まる）ので、異なる開放態様ではあっても遊技盤３を流下する玉Ｂの入賞率に格差を生じにくい。
【００５８】
したがって、遊技者においては、大当たりの際の入賞率が大入賞口１０３の開放態様によって左右されることがないため、大当たりにより入賞率が変化することはなく常に安定した高入賞率状態で遊技できる。また、遊技店においては、２つの開放状態に入賞率の格差を生じにくいため、いずれか一方の開放状態で釘調整を行なえば他方の開放状態での釘調整が不要となる。つまり、開口状態による入賞率の格差を解消するために、釘調整によって開口状態ごとの玉の寄り具合を揃える（均等化する）等の熟練作業を要しなくなる。
【００５９】
さらに、上記２つの開放状態では、いずれも大入賞口１０３を開放し、開閉扉１１０及び誘導板１２０により玉を大入賞口１０３に誘導案内することができるので、大入賞口１０３と開閉扉１１０との間、又はガラス扉２と開閉扉１１０との間に玉詰まりが発生しにくく、入賞率（大当たり時の入賞個数）が低下しにくい。
【００６０】
開閉扉１１０，誘導板１２０，移動リンク１２１及び固定リンク１０４が、固定リンク１０４を固定辺（静止節）とする平行クランク機構を構成しているので、複雑な機構を用いなくとも、開閉扉１１０を２つの開放状態に容易かつ簡便に切り換えることができる。
【００６１】
そして、この可変入賞装置１０では、開閉扉１１０が開放する２つの開放状態（上側開放状態及び下側開放状態）に選択的に切り換えられるのと連動して、案内板１４０が２つの玉通路１０６，１０８への案内状態を選択的に切り換えられる。大入賞口１０３から入賞した玉は案内板１４０によって別々の玉通路１０６，１０８に案内されるので、簡易な構造によって単一の可変入賞装置１０に２つの入賞口としての機能を付与することができる。
【００６２】
また、下側開放ソレノイド１３２の励磁（駆動）によって開閉扉１１０が閉鎖状態から下側開放状態に切り換えられると、案内板１４０は前方側玉通路１０８を蓋状に覆う状態から入賞した玉を前方側玉通路１０８へ案内する状態に姿勢変換される。このように、下側開放ソレノイド１３２の駆動に伴って（連動して）案内板１４０の姿勢変換も同時に行なわれるので、可変入賞装置１０内部での玉詰まりを防止しつつ可変入賞装置１０全体の小型化を図ることができる。
【００６３】
次に、図１４は図１のパチンコ遊技機の電気的構成を示すブロック図である。遊技制御装置２０は、パチンコ遊技機１全体の制御を司るメイン基板２１と、メイン基板２１からの制御信号を受けて各部を制御する表示制御基板２６，音声制御基板２７，ランプ制御基板２８，払出制御基板２９，発射制御基板３０と、これらの各基板に電源を供給する電源回路３１とを含んで構成されている。
【００６４】
メイン基板２１には、ＣＰＵ２２，ＲＯＭ２３，ＲＡＭ２４，入出力インターフェース２５等が搭載され、これらが送受信可能に接続されたマイクロコンピュータにより構成されている。ＲＯＭ２３には、パチンコ遊技全体を制御するための制御プログラム２３ａ、当否抽選結果を図柄表示制御するための図柄変動処理プログラム２３ｂ、２種類の大当たりごとに大当たり処理制御するための第１大当たり処理プログラム２３ｃ及び第２大当たり処理プログラム２３ｄ等が格納されている。ＣＰＵ２２は、ＲＯＭ２３から読み込んだ各プログラム２３ａ，２３ｂ，２３ｃ，２３ｄに基づいてパチンコ遊技を実行する。ＲＡＭ２４はそのプログラムを実行する際のワークエリアとして使用される。
【００６５】
表示制御基板２６にはメイン基板２１のＣＰＵ２２からの制御信号が入出力インターフェース２５を介して入力され、表示制御基板２６では制御信号に応じて液晶表示部７の特別図柄表示部１４、普通図柄表示部１５、保留玉表示部１６に対する表示指令が作成され出力される。音声制御基板２７にも同様に制御信号が入力され、音声制御基板２７では音声信号が作成されてスピーカ４１に出力される。ランプ制御基板２８にも同様に制御信号が入力され、ランプ制御基板２８では制御信号に応じて装飾ランプ等のランプ類４２に対する駆動指令が作成され出力される。払出制御基板２９にも同様に制御信号が入力され、払出制御基板２９では制御信号に応じて賞球や貸球の払出装置４３に対する駆動指令が作成され出力される。発射制御基板３０にも同様に制御信号が入力され、発射制御基板３０では制御信号に応じて玉の発射装置４４に対する駆動指令が作成され出力される。
【００６６】
図１４に示すように、パチンコ遊技機１の遊技盤３各部から次の信号が入出力インターフェース２５を介してメイン基板２１へ入力されている。
・ゲート通過検出器５１：玉が通過ゲート９（図１参照）を通過したことの検知信号；
・始動入賞検出器５２：玉が始動入賞口８（図１参照）に入賞したことの検知信号；
・第１入賞検出器５３：玉が第１入賞口１１（図１参照）に入賞したことの検知信号；
・第２入賞検出器５４：玉が第２入賞口１２（図１参照）に入賞したことの検知信号；
・後方側大入賞検出器１０７：玉Ｂが可変入賞装置１０に入賞して後方側玉通路１０６（図７参照）を通過したことの検知信号；
・前方側大入賞検出器１０９：玉Ｂが可変入賞装置１０に入賞して前方側玉通路１０８（図１０参照）を通過したことの検知信号。
【００６７】
同様に、次の信号が入出力インターフェース２５を介してメイン基板２１からパチンコ遊技機１の遊技盤３各部へ出力されている。
・始動入賞ソレノイド５５：始動入賞口８（図１参照）の開閉のための制御出力信号；
・上側開放ソレノイド１３１（図９参照）：可変入賞装置１０の開閉扉１１０を上側開放状態で開閉するための制御出力信号；
・下側開放ソレノイド１３２（図１２参照）：可変入賞装置１０の開閉扉１１０を下側開放状態で開閉するための制御出力信号。
【００６８】
次に、具体的な制御手順について、図１５〜図１７に示すフローチャートを参照しつつ説明する。以下に説明する実施例では、始動入賞口８への入賞に基づく当否抽選において２種類の大当たりが設定され、第１大当たりでは可変入賞装置１０の開閉扉１１０が上側開放状態となって相対的に少ないラウンド数（例えば８ラウンド）で継続して開放制御される一方、第２大当たりでは開閉扉１１０が下側開放状態となって相対的に多いラウンド数（例えば１５ラウンド）で継続して開放制御される。なお、ＲＯＭ２３に格納された各種プログラムのうち、制御プログラム２３ａは、パチンコ遊技全体の制御を司るもので、パチンコ遊技機１への電源投入後に、割込みモードの設定やＲＡＭチェック等の初期化処理、初期化処理の終了後に始動入賞口８等への入賞検出処理、大当たり抽選処理、図柄変動処理、大当たり処理などを実行する周知の内容であるため説明を省略する。
【００６９】
最初に、図１５のフローチャートより前に行なわれる処理の概要を説明する。図１に示すパチンコ遊技機１の遊技盤３において、玉が通過ゲート９を通過したことをゲート通過検出器５１が検知すると、ＣＰＵ２２において予備抽選（普通図柄の内部抽選）が行なわれ、抽選結果は普通図柄表示部１５に表示される。その結果が「当たり」であると、確変（確率変動）状態が発生していない通常状態においては始動入賞口８を相対的に短時間（例えば０．２秒間）開放する一方、確変状態においては始動入賞口８を相対的に長時間（例えば５秒間）開放する。これらの始動入賞口８の開放中に玉がその始動入賞口８に入賞したことを始動入賞検出器５２が検知すると、ＣＰＵ２２において当否抽選（特別図柄の内部抽選）が行なわれる。
【００７０】
ここで、ＲＯＭ２３に格納された図柄変動処理プログラム２３ｂについて、図１５に示すフローチャートにより説明する。まず、Ｓ１にて当否抽選の結果が大当たり（第１大当たり及び第２大当たり）か否かをチェックし、大当たりであれば（Ｓ１でＹＥＳ）、Ｓ２にてどちらの大当たりかを確認する。当否抽選結果が８ラウンド継続の第１大当たりである場合には（Ｓ２でＹＥＳ）、Ｓ３にて第１大当たりフラグをオン（「１」に）する一方、１５ラウンド継続の第２大当たりである場合には（Ｓ２でＮＯ）、Ｓ４にて第２大当たりフラグをオン（「１」に）する。
【００７１】
次に、Ｓ５にて当否抽選による大当たり図柄の種別（確変大当たり図柄と普通大当たり図柄）がどちらかを確認する。図柄が確変大当たり図柄の場合には（Ｓ５でＹＥＳ）、Ｓ６にて特別図柄表示部１４（図１参照）にその確変大当たり図柄で停止表示させ、Ｓ７にて確変フラグをオン（「１」に）した後リターンすると、大当たり処理終了後に確変状態に移行する。一方、図柄が普通大当たり図柄の場合には（Ｓ５でＮＯ）、Ｓ８にてその普通大当たり図柄で停止表示させ、Ｓ９にて確変フラグをオフ（「０」に）した後リターンすると、大当たり処理終了と同時に通常状態に戻る。なお、当否抽選の結果が大当たりでない場合（すなわち外れの場合）には（Ｓ１でＮＯ）、Ｓ１０にてその外れ図柄で停止表示させた後リターンする。
【００７２】
Ｓ１で当否抽選が大当たり（第１大当たり及び第２大当たり）となる確率は、通常状態よりも確変状態（確率変動中）の方が高く設定されている（例えば通常状態で１／２５０、確変状態で１／２５）。また、Ｓ２で第１大当たり（８ラウンド継続）が選択される確率（例えば９／１０）は、第２大当たり（１５ラウンド継続）が選択される確率（例えば１／１０）よりも高く設定されている。さらに、Ｓ５で確変大当たり図柄が選択される確率（例えば４／５）は、普通大当たり図柄が選択される確率（例えば１／５）よりも高く設定されている。
【００７３】
次に、ＲＯＭ２３に格納された第１大当たり処理プログラム２３ｃについて、図１６に示すフローチャートにより説明する。Ｓ１１にて第１大当たりフラグがオン（「１」）であるか否かを判定し、第１大当たりフラグがオンである場合には（Ｓ１１でＹＥＳ）、Ｓ１２にて継続ラウンド数が８に達しているか否かを確認する。継続ラウンド数が８に達していなければ（Ｓ１２でＹＥＳ）、Ｓ１３にてラウンド数を「１」インクリメントし、Ｓ１４にて大入賞口１０３を上側開放状態（図７〜図９参照）とする。
【００７４】
続いてＳ１５にて後方側大入賞検出器１０７で検知された入賞数が最大入賞個数である１０個に達したか否か、Ｓ１６にて開放継続時間が最大開放時間である２５秒間を経過したか否かをそれぞれチェックする。そして、Ｓ１５とＳ１６のいずれかを満たした場合に（Ｓ１５でＹＥＳ又はＳ１６でＹＥＳ）、Ｓ１７にて大入賞口１０３を閉鎖状態（図２〜図６参照）とした後リターンする。なお、継続ラウンド数が８に達していれば（Ｓ１２でＮＯ）、Ｓ１８にて第１大当たりフラグをオフ（「０」）とし、Ｓ１９にてラウンド数をリセット（「０」）した後リターンする。
【００７５】
このように、第１大当たり処理では、上側開放状態において相対的に大に設定された大入賞口１０３への最大入賞個数（例えば１０個）の入賞を検知するか、あるいは上側開放状態において所定値に設定された大入賞口１０３の最大開放時間（例えば２５秒間）を経過するか、のいずれか早い方が成立するまでを１ラウンドとし、ラウンドごとに大入賞口１０３を閉鎖し、相対的に小に設定された継続ラウンド数（例えば８ラウンド）が終了するまでこの開閉処理を繰り返すようにしている。そして、入賞１個に対して払い出される賞球数を相対的に大（例えば１５個）に設定している。
【００７６】
さらに、ＲＯＭ２３に格納された第２大当たり処理プログラム２３ｄについて、図１７に示すフローチャートにより説明する。Ｓ２１にて第２大当たりフラグがオン（「１」）であるか否かを判定し、第２大当たりフラグがオンである場合には（Ｓ２１でＹＥＳ）、Ｓ２２にて継続ラウンド数が１５に達しているか否かを確認する。継続ラウンド数が１５に達していなければ（Ｓ２２でＹＥＳ）、Ｓ２３にてラウンド数を「１」インクリメントし、Ｓ２４にて大入賞口１０３を下側開放状態（図１０〜図１２参照）とする。
【００７７】
続いてＳ２５にて前方側大入賞検出器１０９で検知された入賞数が最大入賞個数である９個に達したか否か、Ｓ２６にて開放継続時間が最大開放時間である２５秒間を経過したか否かをそれぞれチェックする。そして、Ｓ２５とＳ２６のいずれかを満たした場合に（Ｓ２５でＹＥＳ又はＳ２６でＹＥＳ）、Ｓ２７にて大入賞口１０３を閉鎖状態（図２〜図６参照）とした後リターンする。なお、継続ラウンド数が１５に達していれば（Ｓ２２でＮＯ）、Ｓ２８にて第２大当たりフラグをオフ（「０」）とし、Ｓ２９にてラウンド数をリセット（「０」）した後リターンする。
【００７８】
このように、第２大当たり処理では、下側開放状態において相対的に小に設定された大入賞口１０３への最大入賞個数（例えば９個）の入賞を検知するか、あるいは下側開放状態において所定値に設定された大入賞口１０３の最大開放時間（例えば２５秒間）を経過するか、のいずれか早い方が成立するまでを１ラウンドとし、ラウンドごとに大入賞口１０３を閉鎖し、相対的に大に設定された継続ラウンド数（例えば１５ラウンド）が終了するまでこの開閉処理を繰り返すようにしている。そして、入賞１個に対して払い出される賞球数を相対的に小（例えば１３個）に設定している。
【００７９】
以上の実施例では、大入賞口１０３の２種類の開放態様（上側開放状態及び下側開放状態）に、当否抽選の２種類の大当たり（第１大当たり及び第２大当たり）を対応させた場合について説明したが、適宜変更を加えることができる。例えば、
（１）大入賞口１０３の開放態様と他の遊技状況との対応付けも可能である。
（２）大入賞口１０３の開放態様を３以上設けてもよい。
（３）大入賞口１０３（可変入賞装置１０）以外の入賞口の開放態様にも適用できる。
【図面の簡単な説明】
【００８０】
【図１】本発明に係るパチンコ遊技機の一例を示す正面模式図。
【図２】本発明に係るパチンコ遊技機用入賞装置の一例としての可変入賞装置において大入賞口が閉鎖状態にあるときの正面図。
【図３】図２に示す可変入賞装置のＸ−Ｘ断面図。
【図４】図２に示す可変入賞装置のＡ−Ａ断面図。
【図５】図２に示す可変入賞装置のＢ−Ｂ断面図。
【図６】図２に示す可変入賞装置の斜視説明図。
【図７】図２に示す可変入賞装置において大入賞口が上側開放状態にあるときのＡ−Ａ位置での断面図。
【図８】上側開放状態にあるときのＢ−Ｂ位置での断面図。
【図９】上側開放状態にあるときの図６に相当する斜視説明図。
【図１０】図２に示す可変入賞装置において大入賞口が下側開放状態にあるときのＡ’−Ａ’位置での断面図。
【図１１】下側開放状態にあるときのＢ−Ｂ位置での断面図。
【図１２】下側開放状態にあるときの図６に相当する斜視説明図。
【図１３】案内板と開閉扉との取付形態を表わす説明図。
【図１４】図１のパチンコ遊技機の電気的構成を示すブロック図。
【図１５】図柄変動処理を示すフローチャート。
【図１６】第１大当たり処理を示すフローチャート。
【図１７】第２大当たり処理を示すフローチャート。
【符号の説明】
【００８１】
１          パチンコ遊技機
１０        可変入賞装置（パチンコ遊技機用入賞装置）
１００      本体部
１０１      下側軸受部（第１の軸受部）
１０２      上側軸受部（第２の軸受部）
１０３      大入賞口（入賞口）
１０６      後方側玉通路（第１の玉通路）
１０７      後方側大入賞検出器（第１の入賞検知手段）
１０８      前方側玉通路（第２の玉通路）
１０９      前方側大入賞検出器（第２の入賞検知手段）
１１０      開閉扉（開閉部材）
１１１      下側軸部（第１の軸部）
１１２      上側軸部（第２の軸部）
１２０      誘導板（誘導部材）
１２１      移動リンク（連結部材）
１２３      前方側軸部（第３の軸部）
１３１      上側開放ソレノイド（第１の駆動手段）
１３２      下側開放ソレノイド（第２の駆動手段）
１４０      案内板（案内部材）
Ｏ１        下側軸線（第１の軸線）
Ｏ２        上側軸線（第２の軸線）
Ｏ３        前方側軸線（第３の軸線）
【図１】
2007007196.tif 000003
【図２】
2007007196.tif 000004
【図３】
2007007196.tif 000005
【図４】
2007007196.tif 000006
【図５】
2007007196.tif 000007
【図６】
2007007196.tif 000008
【図７】
2007007196.tif 000009
【図８】
2007007196.tif 000010
【図９】
2007007196.tif 000011
【図１０】
2007007196.tif 000012
【図１１】
2007007196.tif 000013
【図１２】
2007007196.tif 000014
【図１３】
2007007196.tif 000015
【図１４】
2007007196.tif 000016
【図１５】
2007007196.tif 000017
【図１６】
2007007196.tif 000018
【図１７】
2007007196.tif 000019